(57)【要約】【課題】嵩張らずに輸送や携行ができ、転倒し難く、商品を容易に取り出すことができ、陳列する商品の内容が確認し易い紙製什器を提供する。【解決手段】一枚の台紙１ｂから組み立てられてなる紙製什器１ａであって、矩形状の底部４０の前後左右に前壁部１０、後壁部２０、左右の側壁部（３０Ｌ、３０Ｒ）が上方に立設されてなり、底部の前後に前壁部と後壁部が連続し、後壁部の左右に上方から下方に向かって後方に傾斜する平行四辺形状の側壁部が連続し、前壁部の左右に連続するフラップ（１３Ｌ、１３Ｒ、１４Ｌ、１４Ｒ）が側壁部の内面側に重ねられつつ後壁部に接続され、後壁部には後方に突出されてなる突起（２２Ｌ、２２Ｒ）と前壁部に対して上方に突出する背面領域２１とを備え、突起は、水平面に載置された底部と同一面に当接している。【選択図】図３
2019026278.tif 000002
【特許請求の範囲】
【請求項１】
薄板状の物品を前後方向に重ねた状態で陳列するための紙製什器であって、
一枚の台紙から組み立てられて、矩形状の底部を水平面上に載置した際に、当該底部の前後左右に前壁部、後壁部、および左右の側壁部が上方に立設されてなり、
前記底部の前縁辺と後縁辺にそれぞれ前壁部と後壁部が連続し、
前記後壁部の左右に側壁部が連続し、
前記前壁部の左右にフラップが連続し、
前記側壁部は、平行四辺形状で、上縁と下縁が前後方向に平行で、前端側と後端側が上方から下方に向かって前方に傾斜し、
前記フラップは、前記側壁部の内面側に重ねられつつ、後壁部に接続され、
前記後壁部は、一部を残して切り欠かれることで形成された舌片が後方に突出されてなる突起と、前記前壁部に対して上方に突出する背面領域とを備え、
前記突起は、少なくとも一部が前記水平面に載置された前記底部と同一面に当接している、
ことを特徴とする紙製什器。
【請求項２】
請求項１に記載の紙製什器において、前記背面領域は、左右方向の折り線から前方に折り曲げられて前記台紙の一部が重複されてなることを特徴とする紙製什器。
【請求項３】
請求項２に記載の紙製什器において、前記背面領域の前面に加飾が施されていることを特徴とする紙製什器。
【請求項４】
請求項１〜３のいずれかに記載の紙製什器において、前記突起は、前記後壁部と前記側壁部の境界を基部として左右に離間して形成されて、前記側壁部に連続する面によって形成されていることを特徴とする紙製什器。
【請求項５】
請求項１〜４のいずれかに記載の前記紙製什器の起源となる台紙であって、
水平面上に載置された前記紙製什器を当該水平面状に展開したときに、左右対称に形成され、
前方から後方に向かって、前記前壁部、前記底部、前記後壁部のそれぞれに対応する矩形状の領域がこの順に左右方向に横断する谷折り線を介して連続し、
前記後壁部の左右の縁辺に前記側壁部に対応する平行四辺形状の領域が前方に傾斜して翼状に連続し、
前記前壁部の左縁辺と右縁辺に前方に傾斜する平行四辺形状のフラップが翼状に連続し、
前記フラップは、左右先端側に差し込みを備え、
前記後壁部には、前記差し込みに対応する切り込みが前記側壁部との境界に沿って形成されているとともに、前記突起の起源となる切り込みが形成されている、
ことを特徴とする紙製什器用台紙。
【発明の詳細な説明】
【技術分野】
【０００１】
この発明は、店頭などにおいて商品を陳列するための紙製什器に関する。
【背景技術】
【０００２】
店頭などにおいて商品を取出可能に陳列するための什器がある。什器としては、棚など、店内に固定されているものもあるが、レジのカウンターなどに設置される「カウンターディスプレイ」などとも呼ばれる什器もある。この種の什器は、期間限定の販促などを目的として臨時に設置されるものも多い。そして、臨時に設置される什器は、設置と撤去が容易な紙製である場合が多い。また、紙製什器が陳列の対象とする商品には薄板状のものがある。例えば、ブリスターパックに収納された乾電池などである。なお、以下の特許文献１には乾電池を収納するためのブリスターパックについて記載されている。そして、紙製什器は、店頭に設置されている状態では上方が開口する箱状で、薄板状の商品は互いに重ねられつつ什器の内面に立て掛けられた状態で陳列される。
【０００３】
図１に、乾電池１１０を収納したブリスターパック１００と、そのブリスターパック１００を陳列するための什器１を示した。図１（Ａ）は、ブリスターパック１００の外観図であり、図１（Ｂ）は空の什器１を示している。図１（Ｃ）は、什器１によってブリスターパック１００が陳列されている状態を示している。図１（Ａ）に示したように、ブリスターパック１００は、厚紙などからなる台紙１０１の一主面１０２側に乾電池１１０の収納部１０３が貼着されるなどして一体化されたものである。収納部１０３は透明の樹脂からなり、内部の乾電池１１０が視認できるようになっている。そして、少なくとも台紙１０１の一主面１０２側には、商品名などの文字や図案などからなる加飾１０４が施され、ブリスターパック１００を一主面１０２側から見ると、商品に関する情報も視認できるようになっている。
【０００４】
ここで、ブリスターパック１００における台紙１０１の一主面１０２を前面とし、当該前面１０２に収納部１０３があるものとする。また、図１（Ｂ）、（Ｃ）に示したように、什器１が載置される水平面に対する法線方向を上下方向とし、その水平面側を下方として上下の各方向を規定する。ブリスターパック１００における前後方向を什器１における前後方向とし、上下、前後の各方向と直交する方向を左右方向とする。そして、前方から後方を見たときの状態によって左と右の各方向を規定することとする。
【０００５】
図１（Ｂ）に示したように、ここに例示した什器１は、上方が開口する箱状で、底部２の前後左右に壁部（３〜６）が立設されている。ブリスターパック１００は、前後方向に重ねられつつ、什器１の後壁部４の内面に立て掛けられた状態で陳列される。什器１の外面は、文字や図案などの加飾７が施される印刷面になっており、什器１によって陳列されている乾電池１１０についての情報を告知するための領域として使用される。また、前壁部３には開口部８が形成されている。それによって、ブリスターパック１００内の乾電池１１０が什器１の前壁部３で隠されないようになっている。さらに、例示した什器１では、左右の側壁部（５、６）の上縁辺９の前端側が後方から前方に向かって傾斜を下るように形成されており、前壁部３が、後壁部４よりも低背となっている。それによって、什器１内の前方にあるブリスターパック１００を容易に取り出せるようになっている。
【先行技術文献】
【特許文献】
【０００６】
【特許文献１】特開２０１６−１７５６７４号公報
【発明の概要】
【発明が解決しようとする課題】
【０００７】
販促用途などに供される紙製什器は、販促の主催者が、販促期間に合わせて什器を各所に輸送したり、各所に派遣する販促要員に携行させたりする。そして、店員や販促要員は、店頭にて、店内の商品や什器と共に携行した商品を什器に移し替える。しかし、図１に示したような薄板状の商品を陳列するための従来の紙製什器は、各部がのり付けされて組み立てられた状態で提供されている。そのため、輸送時や携行時における什器の梱包寸法が大きくなってしまい、輸送コストが嵩んだり、携行できる什器の数が限定されたりする。什器は、紙製の立体物であり、輸送時や携行時に振動や衝撃によって型崩れなどを起こす可能性もある。型崩れを防止するために厳重に梱包すれば、輸送コストがさらに嵩み、携行できる什器の数がさらに少なくなる。
【０００８】
また、従来の紙製什器は、販促などの用途に十分に対応できる機能を有しているとは言い難い。例えば、商品を購入する人の心理としては、上方が開口する箱の中に前後に重なった状態で収納されている商品を取り出す際、最も前方にある商品よりも、奥側の商品から取り出す傾向がある。しかし、従来の紙製什器では、薄板状の商品が前後に重なっていると、上方から商品をつまんで取り出すことが難しい。
【０００９】
電池のブリスターパックなど、什器の重量に対して比較的重い商品を陳列する場合には、什器内の商品の数が少なくなった際に、什器の後壁部の内面に商品を立て掛けると什器自体が転倒する可能性がある。
【００１０】
従来の紙製什器では、陳列している商品についての情報を告知するために利用できる領域も限られている。例えば、什器の前壁部は、商品自体がよく見えるように開口などが形成されており、告知のための領域が狭くなる。什器の後壁部の内面側に加飾を施しても、什器内の商品によってその加飾が隠れてしまう。側壁部の加飾を確認するためには、前方を向いている薄板状の商品に対して什器を側方からのぞき込む必要があり、加飾の内容が視認される機会が少ない。什器の左右に他の商品などが置かれれば、加飾自体を視認することができない。
【００１１】
そこで、本発明は、輸送や携行に際して嵩張ったり型崩れを起こしたりすることがなく、転倒し難く、重ねられた状態の薄板状の商品を容易に取り出すことができ、さらには陳列している商品の内容が容易に確認できる紙製什器を提供することを目的としている。
【課題を解決するための手段】
【００１２】
上記目的を達成するための本発明の一態様は、薄板状の物品を前後方向に重ねた状態で陳列するための紙製什器であって、
一枚の台紙から組み立てられて、矩形状の底部を水平面上に載置した際に、当該底部の前後左右に前壁部、後壁部、および左右の側壁部が上方に立設されてなり、
前記底部の前縁辺と後縁辺にそれぞれ前壁部と後壁部が連続し、
前記後壁部の左右に側壁部が連続し、
前記前壁部の左右にフラップが連続し、
前記側壁部は、平行四辺形状で、上縁と下縁が前後方向に平行で、前端側と後端側が上方から下方に向かって前方に傾斜し、
前記フラップは、前記側壁部の内面側に重ねられつつ、後壁部に接続され、
前記後壁部は、一部を残して切り欠かれることで形成された舌片が後方に突出されてなる突起と、前記前壁部に対して上方に突出する背面領域とを備え、
前記突起は、少なくとも一部が前記水平面に載置された前記底部と同一面に当接している、
ことを特徴とする紙製什器としている。
【００１３】
前記背面領域が、左右方向の折り線から前方に折り曲げられて前記台紙の一部が重複されてなる紙製什器としてもよい。さらに、前記背面領域の前面に加飾が施されている紙製什器とすることもできる。
【００１４】
より好ましくは、前記突起が、前記後壁部と前記側壁部の境界を基部として左右に離間して形成されて、前記側壁部に連続する面によって形成されている紙製什器とすることである。
【００１５】
本発明の一態様には、上記いずれかに記載の前記紙製什器の起源となる台紙も含まれ、当該台紙は、
水平面上に載置された前記紙製什器を当該水平面状に展開したときに、左右対称に形成され、
前方から後方に向かって、前記前壁部、前記底部、前記後壁部のそれぞれに対応する矩形状の領域がこの順に左右方向に横断する谷折り線を介して連続し、
前記後壁部の左右の縁辺に前記側壁部に対応する平行四辺形状の領域が前方に傾斜して翼状に連続し、
前記前壁部の左縁辺と右縁辺に前方に傾斜する平行四辺形状のフラップが翼状に連続し、
前記フラップは、左右先端側に差し込みを備え、
前記後壁部には、前記差し込みに対応する切り込みが前記側壁部との境界に沿って形成されているとともに、前記突起の起源となる切り込みが形成されている、
ことを特徴とする紙製什器用台紙である。
【発明の効果】
【００１６】
本発明の一態様によれば、輸送や携行に際して嵩張ったり型崩れを起こしたりすることがなく、転倒し難く、重ねられた状態の薄板状の商品を容易に取り出すことができ、さらには陳列している商品の内容が容易に確認できる紙製什器が提供される。なお、その他の効果については以下の記載で明らかにする。
【図面の簡単な説明】
【００１７】
【図１】従来の紙製什器を示す図である。
【図２】本発明の実施例に係る紙製什器を前方から見たときの斜視図である。
【図３】本発明の実施例に係る紙製什器を後方から見たときの斜視図である。
【図４】本発明の実施例に係る紙製什器の起源となる台紙を示す平面図である。
【発明を実施するための形態】
【００１８】
本発明の実施例について、以下に添付図面を参照しつつ説明する。なお以下の説明に用いた図面において、同一または類似の部分に同一の符号を付して重複する説明を省略することがある。ある図面において符号を付した部分について、不要であれば他の図面ではその部分に符号を付さない場合もある。また、以下の図面においても、図１にて規定した上下左右前後の各方向を採用することとする。
【００１９】
＝＝＝実施例＝＝＝
＜外観形状と構造＞
本発明の実施例に係る紙製什器が陳列対象としている商品は、薄板状のものであればよく、例えば、錠剤状菓子が収納された扁平箱状の樹脂製容器などがある。ここでは、図１（Ａ）に示した乾電池が収納されたブリスターパック（以下、商品１００とも言う）を陳列するための紙製什器（以下、什器とも言う）を本発明の実施例として挙げる。図２は、本発明の実施例係る什器１ａを右上前方から見た斜視図である。図２（Ａ）は、什器１ａによって商品１００が陳列されている状態を示している。また図２（Ｂ）は空の什器１ａを示している。
【００２０】
図２（Ａ）、（Ｂ）に示したように、図示した什器１ａは、矩形状の底部４０の前後左右に前壁部１０、後壁部２０、および左右の側壁部（３０Ｌ３０Ｒ）が立設して、上方が矩形状に開口する箱状である。そして、外面には文字や図案などの加飾７が施されている。商品１００は、什器１ａの後壁部２０の内面側に立て掛けられるようにして前後方向に重ねられた状態で収納される。前壁部１０には上縁辺１１に開放端を有してＵ字型に切り欠かれてなる開口部１２が形成され、什器１ａに収納された最も前方の商品１００や、商品１００の収納部１０３内の乾電池１１０が当該開口部１２を介して視認できるようになっている。もちろん開口部１２は、適宜な形状に切りかかれた孔であってもよい。また、前壁部１０の外面には加飾７が施されている。
【００２１】
左右の側壁部（３０Ｌ、３０Ｒ）は、平行四辺形状で、上縁と下縁が前後方向に平行で、前端側と後端側が上方から下方に向かって前方に傾斜している。それによって、什器１ａは、総体的に後方に傾いた外観形状を有している。また、前壁部１０の左右上端側には側壁部（３０Ｌ、３０Ｒ）の外面に重ねられつつ、当該側壁部（３０Ｌ、３０Ｒ）に形成された切り込み（３１Ｌ、３１Ｒ）に挿通されて前壁部１０と側壁部（３０Ｌ、３０Ｒ）とを接続させるフラップ（１４Ｌ、１４Ｒ）が形成されている。さらに、前壁部１０の左右下端側には、左右上端側のフラップ（１４Ｌ、１４Ｒ）とは別のフラップ（１３Ｌ、１３Ｒ）が連続し、図２（Ｂ）に示したように、このフラップ（１３Ｌ、１３Ｒ）に設けられた図示されていない差し込みが側壁部（３０Ｌ、３０Ｒ）の内面側に重ねられつつ、後壁部２０に設けられた図示されていない切り込みに挿通されている。なお、左と右の側壁部（３０Ｌ、３０Ｒ）のそれぞれの下縁辺には、底部４０の上面側に重ねられる左側のフラップ３２Ｌと右側のフラップ(図示せず)が形成されている。
【００２２】
そして、以上の外観形状と構造を備えた什器１ａによれば、什器１ａ内に収納されて前後に重ねられた状態にある複数の商品１００を前方から見ると、前後に隣接する商品（１００、１００）のうち、後方の商品１００の上端側が前方の商品１００に隠れずに露出する。それによって、利用者が、その露出した部分をつまんで後方側の商品１００を容易に取り出すことができる。また什器１ａは、前方から見ると、後壁部２０が前壁部１０に対して上方に大きく突出し、後壁部２０において、前壁部１０よりも上方に突出した領域（以下、背面領域２１とも言う）に加飾７が施されている。
【００２３】
背面領域２１は、実際には、前壁部１０の２倍程度の上下高を有する台紙部分からなり、その台紙部分の上端側が前方に折り返されていることで形成されている。したがって、背面領域２１では、前壁部１０や側壁部（３０Ｌ、３０Ｒ）の外面と同じ面が前方から視認される。しかも、背面領域２１が前壁部１０に対して大きく上方に突出しているため、背面領域２１の加飾７が什器１ａに収納されている商品１００によって隠れることがない。したがって、本実施例の什器１ａでは、商品の告知領域となる面積を増大させることができる。しかも、背面領域２１における前面は、側壁部（３０Ｌ、３０Ｒ）や前壁部１０の外面と同じ面であることから、台紙には、什器１ａの外面となる表裏一方の面にのみ加飾７を施しておけばよい。すなわち、什器１ａを構成する台紙の表裏一方の面を全て素地のままにしておくことができ、什器１ａを安価に製造することができる。
【００２４】
ところで、実施例に係る什器１ａは、総体的に後方に傾いた形状を有し、後壁部２０の内面に商品１００を立て掛けたときに転倒し易い形状である。そのため実施例に係る什器１ａでは、転倒を防止するための構造を備えている。図３に什器１ａを後方から見たときの図を示した。図３（Ａ）は、什器１ａを左上後方から見たときの斜視図であり、この図３（Ａ）では、商品１００が収納されている状態を示した。図３（Ｂ）は、什器１ａを右下後方から見たときの斜視図である。図３（Ａ）、（Ｂ）に示したように、後壁部２０には、左右の下端に、一部を残して切り欠かれることで形成された舌片が後方に突出されてなる突起（２２Ｌ、２２Ｒ）を備えている。この例では、左右の突起（以下、転倒防止突起（２２Ｌ、２２Ｒ）とも言う）は、左右の側壁部（３０Ｌ、３０Ｒ）の後縁辺の下端側を基端とし、左右の側壁部（３０Ｌ、３０Ｒ）と面一になるように形成されている。そして、本実施例の什器１ａでは、水平面に載置された際、この転倒防止突起（２２Ｌ、２２Ｒ）の下縁辺の少なくとも一部が当該水平面に当接し、什器１ａが後方に転倒することを抑止している。なお、後壁部２０には、転倒防止突起（２２Ｌ、２２Ｒ）の上方に左右の縁辺に沿うスリット状の開口部（以下、スリット（２３Ｌ、２３Ｒ）とも言う）が形成されており、このスリット（２３Ｌ、２３Ｒ）の起源となった切り込みが、帯状の舌片（２４Ｌ、２４Ｒ）として後方に突出している。そして、前壁部１０の左右下端側に連続するフラップ（図２：符号１３Ｌ、１３Ｒ）の後端に形成された差し込み（１５Ｌ、１５Ｒ）がこのスリット（２３Ｌ、２３Ｒ）に挿通されている。
【００２５】
＜台紙＞
本実施例の什器１ａは、陳列状態にある商品１００が確認し易く、かつ取り出し易い後方に傾いた外観形状を有しつつ、転倒防止突起２２を備えて転倒し難くなっている。さらに、本実施例の什器１ａは、輸送時や携行時に嵩張らないように、１枚の台紙から組み立てることができるようになっている。また、説明書などがなくても直感的に組み立てられるようにもなっている。
【００２６】
図４に、図２および図３に示した本実施例の什器１ａの起源となる台紙１ｂを示した。図４では、台紙１ｂを水平面に置いたときの図を示しており、水平面に載置した什器１ａの底部４０に対して、前後左右の壁部（１０、２０、３０Ｌ、３０Ｒ）を展開したときの状態を示している。すなわち、図４は、加飾７が施されて什器１ａの外面となる面（以下、おもて面とも言う）が下方に面し、商品１００が収納されて什器１ａの内方となる面（以下、裏面とも言う）が上方を向いた状態を示している。
【００２７】
図４に示したように、台紙１ｂは、左右対称に形成されており、左右中央に、前方から後方に向かって、什器１ａにおける前壁部１０、底部４０、および後壁部２０に対応する矩形状の領域（以下、前壁部１０、底部４０、および後壁部２０とも言う）が、左右方向の谷折り線（５１、５２）を介してこの順に連続している。また、後壁部２０は前壁部１０よりも前後長が長く、台紙１ｂにおいて、上述した背面領域２１に対応する領域２１ｂにも、左右方向の谷折り線５３が形成されている。
【００２８】
前壁部１０の左右には、平行四辺形状のフラップ（１３Ｌ、１３Ｒ、１４Ｌ、１４Ｒ）が谷折り線（５４Ｌ、５４Ｒ）を介して翼状に連続し、後壁部２０の左右には、平行四辺形状の左右の側壁部（３０Ｌ、３０Ｒ）が谷折り線（５５Ｌ、５５Ｒ）を介して翼状に連続している。なお、後壁部２０と左右の側壁部（３０Ｌ、３０Ｒ）との境界にある谷折り線（５５Ｌ、５５Ｒ）は、当該境界の全長にわたって形成されておらず、一部に間隙を有して間欠的に形成されている。
【００２９】
前壁部１０の左右に連続するフラップ（１３Ｌ、１３Ｒ、１４Ｌ、１４Ｒ）は、後端側の面積の大きな領域部分（以下、大フラップ（１３Ｌ、１３Ｒ）とも言う）と、前端側の面積の小さな領域部分（以下、小フラップ（１４Ｌ、１４Ｒ）とも言う）とが谷折り線（５４Ｌ、５４Ｒ）を基端として左右前方に延長する斜めの切り込み（５６Ｌ、５６Ｒ）によって分割されている。また、大小のフラップ（１３Ｌ、１３Ｒ、１４Ｌ、１４Ｒ）を分断する切り込み（５６Ｌ、５６Ｒ）の基端は、前開口部１２を経由して壁部１０を左右方向に横断する山折り線５７に連続している。そして、左と右の大フラップ（１３Ｌ、１３Ｒ）の左端と右端には、前後方向を長辺とした矩形状の差し込み（１５Ｌ、１５Ｒ）が形成され、左と右の小フラップ（１４Ｌ、１４Ｒ）の左端と右端には、半円状の差し込み（１６Ｌ、１６Ｒ）が形成されている。
【００３０】
台紙１ｂにおける後壁部２０の領域は、左および右の側壁部（３０Ｌ、３０Ｒ）よりも後方に突出するように延長して形成されている。また、側壁部（３０Ｌ、３０Ｒ）よりも後方に突出する領域２１ｂは、前後長をほぼ二分する位置に谷折り線５３が形成されている。そして、後壁部２０をこの谷折り線５３で折り返すことで、什器１ａにおける上述した背面領域２１が形成される。また、後壁部２０の左右両端には、大フラップ（１３Ｌ、１３Ｒ）の差し込み（１５Ｌ、１５Ｒ）に対応して、什器１ａにおけるスリット（図３：符号２３Ｌ、２３Ｒ）に対応する切り込み（１２４Ｌ、１２４Ｒ）が形成されている。当該切り込み（１２４Ｌ、１２４Ｒ）は、底の浅いコの字型に形成され、このコの字の端部間は、後壁部２０と左右の側壁部（３０Ｌ、３０Ｒ）との境界にある谷折り線（５５Ｌ、５５Ｒ）が形成されていない。
【００３１】
また後壁部２０には上述した転倒防止突起（図３：符号２２Ｌ、２２Ｒ）の外形に沿う形状の切り込み（１２２Ｌ、１２２Ｒ）が形成されており、この切り込み（１２２Ｌ、１２２Ｒ）は、後壁部２０と左右の側壁部（３０Ｌ、３０Ｒ）との境界の前端側に端部を有して先端が互いに対向するように形成されている。なお、この切り込み（１２２Ｌ、１２２Ｒ）の端部間にも後壁部２０と側壁部（３０Ｌ、３０Ｒ）の境界にある谷折り線（５５Ｌ、５５Ｒ）が形成されていない。
【００３２】
左右の側壁部（３０Ｌ、３０Ｒ）は、左右の縁辺の後端側が、左右方向に幅狭の平行四辺形状に切りかかれており、それによって、後方から前方に至る途上に段差（３３Ｌ、３３Ｒ）が形成されている。すなわち、左右の側壁部（３０Ｌ、３０Ｒ）は、後端側よりも前端側の方が幅広になっている。そして後端側の幅狭の領域内には、小フラップ（１４Ｌ、１４Ｒ）の差し込み（１６Ｌ、１６Ｒ）に対応する半円状の切り込み（３１Ｌ、３１Ｒ）が形成されている。また什器１ａにおける側壁部（３０Ｌ、３０Ｒ）の下縁辺は、谷折り線（５８Ｌ、５８Ｒ）であり、台紙１ｂにおいて、左右の側壁部（３０Ｌ、３０Ｒ）の前端側には、この谷折り線（５８Ｌ、５８Ｒ）を介してフラップ（以下、側壁部フラップ（３２Ｌ、３２Ｒとも言う）が接続されている。台紙１ｂは、上記の構成や構造により、利用者が容易に什器１ａとして組み立てることができるように形成されている。
【００３３】
＜組立手順＞
本実施例の什器１ａの起源となる台紙１ｂは、上述した構成や構造により、店員や販促要員などの利用者が、什器１ａを容易に組み立てることができるようになっている。そして、以下では図２〜図４を参照しつつ、上述した台紙１ｂを用いて什器１ａを組み立てる手順を説明する。
【００３４】
本実施例の什器１ａの起源となる台紙１ｂは、左右対称に形成されて、底部４０に対して前後左右の壁部（１０、２０、３０Ｌ、３０Ｒ）の境界は全て谷折り線（５１、５２、５５Ｌ、５５Ｒ）である。そして、側壁部（３０Ｌ、３０Ｒ）が後壁部２０に連続していることから、利用者は、台紙１ｂにおいて、前後方向に連続する前壁部１０、底部４０、および後壁部２０を、互いの境界に形成されている左右方向の谷折り線（５１、５２）で直角に屈曲させることが容易に理解できる。
【００３５】
底部４０に対して前壁部１０と後壁部２０を立ち上げると、側壁部（３０Ｌ、３０Ｒ）が自然に後壁部２０と前壁部１０との間に配置され、前壁部１０の大小のフラップ（１３Ｌ、１３Ｒ、１４Ｌ、１４Ｒ）も自然に前壁部１０と後壁部２０との間に配置される。また、台紙１ｂにおいて、前壁部１０から後壁部２０に至る前後方向に連続する領域の左右に形成されている大小のフラップ（１３Ｌ、１３Ｒ、１４Ｌ、１４Ｒ）と左右の側壁部（３０Ｌ、３０Ｒ）との境界も全て谷折り線（５４Ｌ、５４Ｒ、５５Ｌ、５５Ｒ）である。そのため、利用者は、後壁部２０に対して左右の側壁部（３０Ｌ、３０Ｒ）を谷折り線（５４Ｌ、５４Ｒ）で立ち上げるとともに、前壁部１０に対して左右の大小のフラップ（１３Ｌ、１３Ｒ、１４Ｌ、１４Ｒ）を立ち上げる必要があることが容易に理解できる。
【００３６】
そして、台紙１ｂにおける後壁部２０の前端側に形成されている切り込み（１２２Ｌ、１２２Ｒ）の端部には側壁部（３０Ｌ、３０Ｒ）との境界にある谷折り線（５５Ｌ、５５Ｒ）が形成されていないことから、左右の側壁部（３０Ｌ、３０Ｒ）を後壁部２０に対して立ち上げると、この切り込み（１２２Ｌ、１２２Ｒ）によって形成された舌片状の領域が、転倒防止用突起（２２Ｌ、２２Ｒ）として、後壁部２０のおもて面側に自動的に突出する。さらに、後壁部２０におけるコの字型の切り込み（１２４Ｌ、１２４Ｒ）も幅の狭い舌片（２４Ｌ、２４Ｒ）として、後壁部２０のおもて面側に自動的に突出する。それによって、後壁部２０には、側壁部（３０Ｌ、３０Ｒ）との境界に沿うスリット（２３Ｌ、２３Ｒ）が形成される。
【００３７】
さらに、什器１ａの形状を維持するために各所に設けられたスリット（２３Ｌ、２３Ｒ）や切り込み（３１Ｌ、３１Ｒ）に挿通される差し込み（１５Ｌ、１５Ｒ、１６Ｌ、１６Ｒ）は、前壁部１０の大小のフラップ（１３Ｌ、１３Ｒ、１４Ｌ、１４Ｒ）にのみ形成されており、これらのフラップ（１３Ｌ、１３Ｒ、１４Ｌ、１４Ｒ）を側壁部（３０Ｌ、３０Ｒ）に沿わせるように屈曲させると全ての差し込み（１５Ｌ、１５Ｒ、１６Ｌ、１６Ｒ）が後方に向かって突出し、その差し込みの（１５Ｌ、１５Ｒ、１６Ｌ、１６Ｒ）の先端側に対応するスリット（２３Ｌ、２３Ｒ）や切り込み（３１Ｌ、３１Ｒ）が配置されるように形成されている。そのため、利用者は、差し込み（１５Ｌ、１５Ｒ、１６Ｌ、１６Ｒ）とスリット（２３Ｌ、２３Ｒ）や切り込み（３１Ｌ、３１Ｒ）との対応関係を容易に理解できる。
【００３８】
具体的には、前壁部１０の左右に形成されている大小のフラップ（１３Ｌ、１３Ｒ、１４Ｌ、１４Ｒ）は、切り込み（５６Ｌ、５６Ｒ）によって個別に形成された領域であり、前壁部１０に対面する後壁部２０に大フラップ（１３Ｌ、１３Ｒ）の差し込み（１５Ｌ、１５Ｒ）に対応するスリット（２３Ｌ、２３Ｒ）のみが形成されていることから、大フラップを側壁部（３０Ｌ、３０Ｒ）の内側に重ねることが容易に理解できる。
【００３９】
左右の小フラップ（１４Ｌ、１４Ｒ）は、台紙１ｂにおける唯一の山折り線５７で前壁部１０の上端側と一体的に前方に屈曲することができ、かつその屈曲位置が側壁部（３０Ｌ、３０Ｒ）の段差（３３Ｌ、３３Ｒ）の位置に一致していることから、側壁部（３０Ｌ、３０Ｒ）の外面側に小フラップ（１４Ｌ、１４Ｒ）を重ねることが容易に理解できる。そして、小フラップ（１４Ｌ、１４Ｒ）の差し込み（１６Ｌ、１６Ｒ）と、側壁部（３０Ｌ、３０Ｒ）のその差し込み（１６Ｌ、１６Ｒ）に対応する切り込み（３１Ｌ、３１Ｒ）がともに半円形であるため、上記の山折り線５７により屈曲している前壁部１０の上端側を前壁部１０の下端側と面一にさせようとすると、小フラップ（１４Ｌ、１４Ｒ）が、山折り線５７の左右の端部を基点として側壁部（３０Ｌ、３０Ｒ）の外面側に沿って回動し、半円形の差し込み（１６Ｌ、１６Ｒ）が切り込み（３１Ｌ、３１Ｒ）に自然に差し込まれる。すなわち、小フラップ（１４Ｌ、１４Ｒ）を撓ませることなく、差し込み（１６Ｌ、１６Ｒ）を切り込み（３１Ｌ、３１Ｒ）に挿通させることができる。なお、左右の側壁フラップ（３２Ｌ、３２Ｒ）については、底部４０の上面側に配置されるものであることは常識的にも直感的にも理解できるはずである。そして、ここまでの手順により、対応関係にある差し込み（１５Ｌ、１５Ｒ、１６Ｌ、１６Ｒ）とスリット（２３Ｌ、２３Ｒ）や切り込み（３１Ｌ、３１Ｌ）を係合させると、商品１００を陳列するための収納空間が形成される。
【００４０】
そして、後壁部２０において、前壁部１０に対して上下方向に突出した領域には谷折り線５３が形成されていることから、商品１００を陳列する状態となるように底部４０の外面を水平面に向けると、後壁部２０の上端側が自然に前方に折れ曲がる。後壁部２０において、この折れ曲がった領域を前方に折り返し、背面領域２１を形成すれば、図２、図３に示した外観形状を有する什器１ａが完成する。
【００４１】
このように、本実施例に係る什器１ａでは、上述した構成や構造を有する１枚の台紙１ｂを起源として、直感的に容易に組み立てることができる。また、本実施例の什器１ａは、ブリスターパックに収納された乾電池など、重量のある商品１００を陳列する場合でも、十分な強度を有して変形し難くなっている。例えば、大フラップ（１３Ｌ、１３Ｒ）が、前壁部１０と後壁部２０とに架け渡されつつ、側壁部（３０Ｌ、３０Ｒ）の内面側に重ねられることで、側壁部（３０Ｌ、３０Ｒ）が補強される。また、後壁部２０に重量のある商品１００が立て掛けられたときに、大フラップ（１３Ｌ、１３Ｒ）が後壁部２０に加わる後方への力を前壁部１０に伝えて後壁部２０の変形が抑止される。
【００４２】
転倒防止突起（２２Ｌ、２２Ｒ）は、後壁部２０と側壁部（３０Ｌ、３０Ｒ）との境界を基部とし、当該基部には折れ線（５５Ｌ、５５Ｒ）が形成されていない。そのため、転倒防止突起（２２Ｌ、２２Ｒ）が基部で不用意に屈曲することがない。また、転倒防止突起（２２Ｌ、２２Ｒ）は、面の縁辺で什器１ａを支えており、什器１ａが倒れる方向に力が加わっても変形し難い構造を有している。
【００４３】
そして什器１ａは、総体的に後傾した外観形状を有して優れた美観を有している。さらに、小フラップ（１４Ｌ、１４Ｒ）が、側壁部（３０Ｌ、３０Ｒ）の外面側に重ねられて、側壁部（３０Ｌ、３０Ｒ）の前端側を外方から支持しつつ、この前端側が左右外方に開かないようにしている。すなわち、小フラップ（１４Ｌ、１４Ｒ）は、前方から見たときの什器１ａの美観を維持する機能も担っている。
【００４４】
＝＝＝その他の実施例＝＝＝
転倒防止突起の構造や形状は上記実施例のものでなくてもよく、商品が軽量であれば、基部に折れ線が形成されていてもよい。あるいは、後壁部と底部との境界を基部として後壁部を切り欠いて形成した舌片を転倒防止突起とするなど、適宜な形状や構造を採用することができる。いずれにしても、転倒防止突起は、後面の一部領域が切り欠かれて後方に突出された舌片によって構成され、水平面に載置された什器において、その舌片の少なくとも一部が水平面に当接するように形成されていればよい。前壁部には少なくとも後壁部に接続するフラップがあればよい。もちろん、所定の壁部同士を接続するための差し込みや切り込みの形状や構造は適宜に設定することができる。
【符号の説明】
【００４５】
１，１ａ  紙製什器、１ｂ  台紙、２，４０  底部、３，１０  前壁部、４，
２０  後壁部、５，６，３０Ｌ，３０Ｒ  側壁部、７  加飾、
８，１２  前壁部の開口部、１３Ｌ，１３Ｒ  大フラップ、
１４Ｌ，１４Ｒ  小フラップ、１５Ｌ，１５Ｒ，１６Ｌ，１６Ｒ  差し込み、
２２Ｌ，２２Ｒ  転倒防止突起、２３Ｌ，２３Ｒ  スリット、
３１Ｌ，３１Ｒ  切り込み
【図１】
2019026278.tif 000003
【図２】
2019026278.tif 000004
【図３】
2019026278.tif 000005
【図４】
2019026278.tif 000006